(57)【要約】      （修正有）【課題】従来は災害等の緊急事態発生時に、グレーチング取り外しに手間取り大事に至ったり、また自動車等、通過時の振動により騒音が発生すると言う問題があった。【解決手段】本発明のグレーチング支持構造体を各々グレーチング枠２４の四隅に固定し、更に構成する作動棒先端２３を側溝内枠壁に設けたインサート穴２２に強く押入固定係止し、更に作動棒外径に設けた溝にカム先端２３を噛み込ませて、作動棒９の戻りを防止する。また取り外しはカム先端２７を溝より外し、作動棒９をインサート穴２２より引き出すだけで、グレーチング枠２４は外れる支持構造体を提供する。【選択図】  図６
2004156406.tif 000002
【特許請求の範囲】
【請求項１】
グレーチング板下端を係止する水平の取付板を形成した鋼鈑外枠の中に、係止した鋼鈑内枠に金属丸鋼作動棒（以下、「作動棒」と云う）を構成し、作動棒の垂直二面に形成した、割りピン用横穴のある左端は、外枠の左垂直ガイド板の縦長四角ガイド穴に通し、抜け止め防止の割りピンにて係止する、一方右端は右垂直ガイド板の四角ガイド穴に通す、また内枠の左中間にカム回転軸を支える軸受け板を形成し、軸ピンにてカムを構成する、以上の構造体をグレーチング枠の四隅に係止して、作動棒の右端をグレーチング敷設枠壁にインサートした穴の内側上部に強く押入し、作動棒先端の勾配によりグレーチング敷設枠壁にグレーチングを係止する、更に作動棒中央部に形成する複数条の溝にカム先端を噛ませ係止してなる、グレーチング騒音外れ防止支持構造体。
【請求項２】
横長の凹型溝を形成する外枠上端両側に、グレーチング板下端を係止する水平の取付板を形成し、溝に沿って中心線上に等間隔の複数個のフック取付穴を形成する、また両端下端より垂直のガイド板を形成し、左端ガイド板の中央に下端より作動棒直径頂点を縦寸法位置とし、作動棒左端の垂直二面切り欠け巾とする縦長四角のガイド穴を形成する、一方、右端ガイド板中央にガイド板下端より作動棒直径頂点を縦寸法位置として直径巾の四角ガイド穴を形成する請求項１に記載のグレーチング騒音外れ防止支持構造体。
【請求項３】
外枠の内巾に適合する巾であって、作動棒外径に適合した巾の横長凹型を形成する内枠の両上端中央に、外枠の高さと同寸法の四角で上端を中側Ｌ型に曲げ、中心で密着固定して梃子受台を形成する、更に梃子受台左端よりカムの軸心から半径の位置に、カム回転軸径に適合の穴を設けた軸受板を内枠両上端に形成する請求項１乃至請求項２記載のグレーチング騒音外れ防止構造体。
【請求項４】
作動棒左端には、外枠左端のガイド板のガイド穴横巾に適合する垂直二面巾切欠を左端より内枠の軸受板中心位置まで形成する、また左端より割りピン径以上の肉厚を付け、割りピン圧入に適合する穴を二面切欠面に直角貫通穴を形成し、これに二面切欠巾の二倍長の割りピンを圧入係止する、また作動棒の長さは外枠全長より長く形成し、左端の抜け防止割りピンまで右側に移動しグレーチング敷設枠壁のインサート穴に右端を押入し、尚十分余裕のある長さに形成する、また中央部外周にカム先端部に適合する深さの等間隔溝を複数条、二面切欠の右端より作動棒右端までの左半分間に形成し、作動棒右端形状は上稜より下稜に緩い勾配を形成する作動棒請求項１乃至請求項３記載のグレーチング騒音外れ防止支持構造体。
【請求項５】
グレーチング枠四隅近傍の隣り合わせのグレーチング板に、フックボルト取付穴を各々形成し、外枠両側の取付板上にグレーチング板をフックボルトにて固定係止する、一方グレーチング敷設枠壁にインサートする横楕円形管の縦内径は作動棒外径に適合させ、作動棒外径中心線より約半径以内で下方向に係止する請求項１記載のグレーチング騒音外れ防止支持構造体。
【発明の詳細な説明】
【０００１】
【発明の属する技術分野】
本発明は、排水溝及び測溝の上開口に敷設するグレーチング騒音外れ防止支持構造体に関するものである。
【０００２】
【従来の技術】
従来の技術は、側溝上開口の内周壁近傍の底面より押圧板体を垂下し、少なくとも下端部が内周壁に所定長さにわたって当接するよう構成することを特徴とする開口蓋体の支持構造体（例えば、特許文献１参照。）。
また、側溝蓋に隣接するコンクリート製の第二側溝蓋側壁に埋め込まれるインサート部材と第二側溝蓋の側壁に設けられた透孔を貫通した状態でインサート部材に着脱可能に取り付けられる係止ピンとを備えることを特徴とする測溝蓋外れ防止具（例えば、特許文献２参照。）。
また、グレーチング押さえ金具（１３）として、ゴム部材（１６）の底部の内側相当の巾を有し、水平部にボルト孔を有するＬ字状板とその直立部に接続した逆Ｕ字状板とからなるものＬ字状板の水平部をゴム部材（１６）の底部上に載置し、逆Ｕ字状板を凹陥部（４）に隣接するグレーチング（７）のエンドプレート（８）の上縁の切欠部分に当接跨座させ、当該エンドプレート（８）にかかるメインバー（９）を避けるためあらかじめ逆Ｕ字状板に切り溝を設けておき、凹患部（４）底板の突出ボルトに対しワッシャーを介してナットを締め押さえ金具（１３）凹患部（４）に固定することからなる受け枠部材に対するグレーチングの取付構造（例えば、特許文献３参照。）。
【０００３】
【特許文献１】
特開平１１−６１９５号公報（第２頁、第１図）
【特許文献２】
特開２００１−２８８８０４号公報（第２頁、第１図、第２図）
【特許文献３】
特開２００２−２２７２８６（Ｐ２００２−２２７２８６Ａ）号公報（第１頁、第１図）
【０００４】
【発明が解決しようとする課題】
このような従来の、側溝蓋外れ防止構造体であっても、災害等、緊急事態発生時の初期処置に蓋の取り外しに手間取り、大事に至ることが懸念される、また、再敷設にも手間取るの問題点がある。そこで、本発明はグレーチングが容易に着脱出来て、さらに騒音と外れを防止する、グレーチング騒音外れ防止支持構造体の提供を課題とする。
【０００５】
【課題を解決するための手段】
本発明は、グレーチング板下端を係止する水平の取付板を形成した鋼鈑外枠の中に、係止した鋼鈑内枠に金属丸鋼作動棒（以下、「作動棒」と云う）を構成し、作動棒の垂直二面に形成した、割りピン用横穴のある左端は、外枠の左垂直ガイド板の縦長四角ガイド穴に通し、抜け止め防止の割りピンにて係止する、一方右端は右垂直ガイド板の四角ガイド穴に通す、また内枠の左中間にカム回転軸を支える軸受板を形成し、軸ピンにてカムを構成する、以上の構造体をグレーチング枠の四隅に係止して、作動棒の右端をグレーチング敷設枠壁にインサートした穴の内側上部に強く押入し、作動棒先端の勾配によりグレーチング敷設枠壁にグレーチングを係止する、更に作動棒中央部に形成する複数条の溝にカム先端を噛ませ係止する。
【０００６】
横長の凹型溝を形成する外枠上端両側に、グレーチング板下端を係止する水平の取付板を形成し、溝に沿って中心線上に等間隔の複数個のフック取付穴を形成する、また両端下端より垂直のガイド板を形成し、左端ガイド板の中央に下端より作動棒直径頂点を縦寸法位置とし、作動棒左端の垂直二面切り欠け巾とする縦長四角のガイド穴を形成する、一方、右端ガイド板中央にガイド板下端より作動棒直径頂点を縦寸法位置として直径巾の四角ガイド穴を形成する。
【０００７】
外枠の内巾に適合する巾であって、作動棒外径に適合した巾の横長凹型を形成する内枠の両上端中央に、外枠の高さと同寸法の四角で上端を中側Ｌ型に曲げ、中心で密着固定して梃子受台を形成する、更に梃子受台左端よりカムの軸心から半径の位置に、カム回転軸径に適合の穴を設けた軸受板を内枠両上端に形成する。
【０００８】
作動棒左端には、外枠左端のガイド板のガイド穴横巾に適合する垂直二面巾切欠を左端より内枠の軸受板中心位置まで形成する、また左端より割りピン径以上の肉厚を付け、割りピン圧入に適合する穴を二面切欠穴面に直角貫通穴を形成し、これに二面切欠巾の二倍長の割りピンを圧入係止する、また作動棒の長さは外枠全長より長く形成し、左端の抜け防止割りピンまで右側に移動しグレーチング敷設枠壁のインサート穴に右端を押入し、尚十分余裕のある長さに形成する、また中央部外周にカム先端部に適合する深さの等間隔溝を複数条、二面切欠の右端より作動棒右端までの左半分間に形成し、作動棒右端形状は上稜より下稜に緩い勾配を形成する作動棒。
【０００９】
グレーチング枠四隅近傍の隣り合わせのグレーチング板に、フックボルト取付穴を各々形成し、外枠両側の取付板上にグレーチング板をフックボルトにて固定係止する、一方グレーチング敷設枠壁にインサートする横楕円形管の縦内径は作動棒外径に適合させ、作動棒外径中心線より約半径以内で下方向に係止する。
【００１０】
【発明実施の形態】
本発明のグレーチング騒音外れ防止支持構造体（以下、「支持構造体」と云う）の実施の形態について、図１乃至図８に基づいて説明する。図１と図６に示す支持構造体の外枠１は凹溝２の両側上端に水平の取付板３と左端と右端にガイド板４．５を形成する、外枠１の内側に、カム軸受板６と梃子受台７を形成する凹溝１５の内枠８を固定係止する、内枠８の内側に作動棒９を構成する。作動棒９の中央部に複数条の溝１０を形成し、左端は外枠ガイド板４のガイド穴１１の左側に出し抜け防止割りピン１２で係止する、また勾配形状先の右端は外枠ガイド板５のガイド穴１３の右側に出す。また内枠８のカム軸受板６にカム１６を軸ピン１４で係止する。
【００１１】
外枠１は横長の凹溝２を形成し、凹溝２の内巾は内枠８の外巾に適合する、また凹溝２上端両側にグレーチング１７板厚の約三倍巾に形成し、外枠１下端より板厚二倍と作動棒９直径を加えた寸法を、取付板３上面までの高さに形成する。さらに両側取付板３の板巾中心線上に複数個のフックボルト１８外径に適合する取付穴１９を形成する。他方外枠１両端の下端より垂直にガイド板４，５を外枠１の高さの約二倍で巾は溝内巾に形成する、左側ガイド板４の巾中央に作動棒９左端の垂直二面切欠２０巾で、取付板３上面の高さとする縦長四角ガイド穴１１を形成し、右側のガイド板５の巾中央には取付板３上面位置を上辺とし、作動棒９直径を巾寸法とする縦長四角ガイド穴１３を形成する。
【００１２】
内枠８は横長凹溝１５を形成し、凹溝１５内巾は作動棒９外径に適合する巾とし凹溝１５の深さは作動棒９外径から作動棒９の溝１０深さを引いた高さより少し低く形成する、また凹溝１５中間の両上端に外枠１の取付板３上面までの高さと同寸法の四角で上端を中側Ｌ型に曲げた板を中心で密着固定して、梃子受台７を形成する。更にその左端よりカム軸ピン１４中心から半径の位置にカム軸ピン１４径に適合の穴を設けた軸受板６を両上端に形成する。
【００１３】
作動棒９の左端は、外枠１左端のガイド穴１１巾に適合の縦二面切欠２０を左端より内枠８の軸受板６中心位置まで形成し、左端より割りピン１２外径以上の肉厚を付け、割りピン１２圧入穴を二面切欠２０面に直角貫通し、二面切欠２０巾の二倍長の割りピン１２を圧入係止する。作動棒９の全長は外枠１全長より長くし、抜け止め防止割りピン１２まで右側に作動してグレーチング敷設枠壁２１のインサート穴２２に右端を押入し、尚十分余裕のある長さに形成する。また中央部外周にカム先端形状に適合する深さで等間隔溝１０の複数条を二面切欠２０右端より作動棒９右端間の左半分に形成し、右先端２３形状は上稜より下稜に２０度乃至２５度の勾配を形成する。
【００１４】
図６、図７、図８に示すようにグレーチング枠２４四隅近傍隣り合わせのグレーチング板１７に穴開け治具等でフックボルト１８取付穴を各々形成し外枠１両側の取付板３上にグレーチング板１７下端を緩み止めナットとフックボルト１８で固定係止する。一方グレーチング敷設枠壁２１に埋設するインサート穴２２は横楕円形管で縦内径は作動棒９外径に適合させ作動棒９外径中心線より約半径以内で下方向に固着する。
【００１５】
四個の支持構造体をグレーチング枠２４の四隅近傍で、かつ、グレーチング敷設枠壁２１のインサート穴２２位置に作動棒９右先端２３が適合する箇所に固定係止したグレーチング枠２４を側溝段部２５に橋渡しの角鋼管２６上に据え、梃子受台７右端に梃子棒を当て作動棒９の溝１０を右方向に押し出して、グレーチング敷設枠壁２１のインサート穴２２に作動棒９右端を強く押入し先端２３の勾配により完全に締め付けられた状態を確認してから、カム１６を右に倒し先端２７を適合位置の溝１０に噛み込ませて固定係止する。このようにして、支持構造体四体を固定係止する。またグレーチング枠２４を側溝上開口から取り外す場合はカム１６を溝１０より外して作動棒９を左側に戻すと簡単にグレーチング枠２４が外れる。
【００１６】
【発明の効果】
本発明は次の効果がある。グレーチング板に係止された支持構造体が、側溝のグレーチング敷設枠壁の四カ所に固定係止により、外圧によるグレーチング枠の上下左右の動きを完全に抑制し、騒音の発生及び外れを防止する効果がある。
【００１７】
また本発明の支持構造体は、通常の場合は勿論のこと災害発生緊急時には簡単に取り外しが可能であり、初期対応に優れている、また再敷設作業も短時間で済むという効果がある。
【図面の簡単な説明】
【図１】本発明に係わる支持構造体の平面図である。
【図２】支持構造体の正面図である。
【図３】支持構造体の左側面図（ａ）及び右側面図（ｂ）である。
【図４】内枠の斜視図である。
【図５】外枠の斜視図である。
【図６】支持構造体平面図（図１）Ａ−Ａ断面図である。
【図７】支持構造体にグレーチング板を係止した正面右側図である。
【図８】グレーチング敷設枠壁正面図（ａ）及びＢ−Ｂ断面図（ｂ）である。
【符号の説明】
１．    外枠
２．    凹溝
３．    取付板
４．    ガイド板
５．    ガイド板
６．    カム軸受板
７．    梃子受台
８．    内枠
９．    作動棒
１０．    溝
１１．    ガイド穴
１２．    割りピン
１３．    ガイド穴
１４．    軸ピン
１５．    凹溝
１６．    カム
１７．    グレーチング板
１８．    フックボルト
１９．    取付穴
２０．    二面切欠
２１．    グレーチング敷設枠壁
２２．    インサート穴
２３．    先端
２４．    グレーチング枠
２５．    側溝段部
２６．    角鋼管
２７．    カム先端
２８．    側溝内壁
【図１】
2004156406.tif 000003
【図２】
2004156406.tif 000004
【図３】
2004156406.tif 000005
【図４】
2004156406.tif 000006
【図５】
2004156406.tif 000007
【図６】
2004156406.tif 000008
【図７】
2004156406.tif 000009
【図８】
2004156406.tif 000010